(57)【要約】【課題】テレビ操作の複雑さを簡略化し、テレビユーザーがとても気軽にインターネット上やパソコン上のマルチメディアコンテンツを鑑賞できるようにする。【解決手段】  テレビによるインターネット接続及びインタラクティブエンターテイメント通信システムである。コンピュータ（１０）、テレビ（２０）及び通信ケーブル（３２）を含み、コンピュータＰＣボックスユニット３０及びテレビＴＶボックスユニット４０をも含んでいる。コンピュータのグラフィックカードインターフェイスＡ（１１）はコンピュータＰＣボックスユニットのＰＣ側グラフィックカードインターフェイス（３１７）と接続し、コンピュータのＵＳＢインターフェイス（１２）はＰＣ側ＵＳＢインターフェイス（３１５）と接続し、通信ケーブルのＰＣ側インターフェイス（３１６）は通信ケーブル（３２）を通じてテレビＴＶボックスユニットの通信ケーブルのＴＶ側インターフェイス（４１６）と接続し、テレビＴＶボックスユニットのＴＶ側ビデオインターフェイス（４１７）はテレビのビデオ入力インターフェイスＢ（２１）と接続して、ＴＶ側オーディオインターフェイス（４１８）はテレビのオーディオインターフェイスＢ（２２）と接続する。【選択図】    図１
2010500795.tif 000002
【特許請求の範囲】
【請求項１】
ＰＣボックスユニット本体を含むコンピュータＰＣボックスユニットであって、
前記ＰＣボックスユニット本体内にはコンピュータインターフェイスモジュール（３１）を搭載してあり、前記コンピュータインターフェイスモジュール（３１）にはＰＣビデオ信号送信駆動回路（３１２）、及び通信ケーブルのＰＣ側インターフェイス（３１６）、ＰＣ側グラフィックカードインターフェイス（３１７）、ＰＣ側ＵＳＢ駆動送受信回路（３１３）、ＰＣ側ＵＳＢインターフェイス（３１５）を集成してあり、
ＰＣビデオ信号送信駆動回路（３１２）の一端はＰＣ側グラフィックカードインターフェイス（３１７）と接続し、他端は通信ケーブルのＰＣ側インターフェイス（３１６）と接続して、ＰＣ側ＵＳＢ駆動送受信回路（３１３）の一端はＰＣ側ＵＳＢインターフェイス（３１５）と接続し、他端は通信ケーブルのＰＣ側インターフェイス（３１６）と接続することを特徴とするコンピュータＰＣボックスユニット。
【請求項２】
前記コンピュータインターフェイスモジュール（３１）には、ＶＧＡ信号多重回路（３１４）及びＶＧＡ信号出力インターフェイス（３１８）をも集成されており、ＶＧＡ信号出力インターフェイス（３１８）はＶＧＡ信号多重回路（３１４）を通じてＰＣ側グラフィックカードインターフェイス（３１７）と接続することを特徴とする請求項１記載のコンピュータＰＣボックスユニット。
【請求項３】
前記コンピュータインターフェイスモジュール（３１）にＰＣビデオ信号変換回路（３１１）をも集成されており、その一端はＰＣ側グラフィックカードインターフェイス（３１７）と接続し、他端はＰＣビデオ信号送信駆動回路（３１２）と接続することを特徴とする請求項１記載のコンピュータＰＣボックスユニット。
【請求項４】
ＴＶボックスユニット本体を含むテレビＴＶボックスユニットであって、
前記ＴＶボックスユニット本体内にはテレビインターフェイスモジュール（４１）を搭載してあり、
前記テレビインターフェイスモジュール（４１）にはＴＶビデオ信号受信回路（４１２）、及びＴＶ側ＵＳＢ駆動送受信回路（４１３）、ＵＳＢハブ回路（４１４）、通信ケーブルのＴＶ側インターフェイス（４１６）、ＴＶ側ビデオインターフェイス（４１７）を集成してあり、ＴＶビデオ信号受信回路（４１２）の一端はＴＶ側ビデオインターフェイス（４１７）と接続し、他端は通信ケーブルのＴＶ側インターフェイス（４１６）と接続して、ＴＶ側ＵＳＢ駆動送受信回路（４１３）の一端はシステム内のＵＳＢハブ回路（４１４）と接続し、他端は通信ケーブルのＴＶ側インターフェイス（４１６）と接続することを特徴とするテレビＴＶボックスユニット。
【請求項５】
前記テレビインターフェイスモジュール（４１）には、ＴＶビデオ信号変換回路（４１１）をも集成され、その一端はＴＶ側ビデオインターフェイス（４１７）と接続し、他端はＴＶビデオ信号受信回路（４１２）と接続することを特徴とする請求項４記載のテレビＴＶボックスユニット。
【請求項６】
テレビインターフェイスモジュールには、ＵＳＢデバイス（６０１）、ＴＶ側ＵＳＢインターフェイス（４１９１）を集成され、前記ＵＳＢデバイス（６０１）はＵＳＢハブ回路（４１４）と接続し、ＴＶ側ＵＳＢインターフェイス（４１９１）はＵＳＢハブ回路（４１４）と接続することを特徴とする請求項４記載のテレビＴＶボックスユニット。
【請求項７】
前記ＵＳＢデバイス（６０１）はＵＳＢサウンドカード（４１５）であって、ＵＳＢサウンドカード（４１５）はＵＳＢハブ回路と接続し、その中、ＵＳＢサウンドカードにはＴＶ側オーディオインターフェイス（４１８）及びＴＶ側マイクインターフェイス（４１９２）を集成されていることを特徴とする請求項６記載のテレビＴＶボックスユニット。
【請求項８】
前記ＵＳＢデバイス（６０１）はＵＳＢ−ＰＳ２インターフェイスアダプタ、ＵＳＢ赤外線受信機、ＵＳＢレーザー受信機及びＵＳＢＡＶ採集圧縮デバイスの一つまたはその組合せであることを特長とする請求項６記載のテレビＴＶボックスユニット。
【請求項９】
テレビによるインターネット接続及びインタラクティブエンターテイメント通信システムであって、コンピュータ（１０）、テレビ（２０）及び通信ケーブル（３２）を含み、
請求項１〜３のいずれか記載のコンピュータＰＣボックスユニット及び請求項４〜８のいずれか記載のテレビＴＶボックスユニットをも含んで、その中、コンピュータのグラフィックカードインターフェイスＡ（１１）はコンピュータＰＣボックスユニットのＰＣ側グラフィックカードインターフェイス（３１７）と接続し、コンピュータのＵＳＢインターフェイス（１２）はＰＣ側ＵＳＢインターフェイス（３１５）と接続し、通信ケーブルのＰＣ側インターフェイス（３１６）は通信ケーブル（３２）を通じてテレビＴＶボックスユニットの通信ケーブルのＴＶ側インターフェイス（４１６）と接続し、テレビＴＶボックスユニットのＴＶ側ビデオインターフェイス（４１７）はテレビのビデオ入力インターフェイスＢ（２１）と接続して、ＴＶ側オーディオインターフェイス（４１８）はテレビのオーディオインターフェイスＢ（２２）と接続することを特徴とするテレビによるインターネット接続及びインタラクティブエンターテイメント通信システム。
【請求項１０】
コンピュータＰＣボックスユニットＶＧＡ信号出力インターフェイス（３１８）はディスプレイ（１８）と接続することを特徴とする請求項９記載のテレビによるインターネット接続及びインタラクティブエンターテイメント通信システム。
【請求項１１】
コンピュータにセカンダリグラフィックカード（１３−２）をも含み、その中、グラフィックカードはＰＣ側グラフィックカードインターフェイス（３１７）に、セカンダリグラフィックカード（１３２）はディスプレイ（１８）と接続することを特徴とする請求項９記載のテレビによるインターネット接続及びインタラクティブエンターテイメント通信システム。
【請求項１２】
コンピュータにセカンダリグラフィックカード（１３−２）をも含み、その中、グラフィックカード（１３−２）はディスプレイ（１８）と接続し、セカンダリグラフィックカードはＰＣ側グラフィックカードインターフェイス（３１７）と接続することを特徴とする請求項９記載のテレビによるインターネット接続及びインタラクティブエンターテイメント通信システム。
【請求項１３】
セカンダリグラフィックカードとコンピュータインターフェイスモジュールはＰＣＩバス（１９）に集成され、前記ＰＣＩバス（１９）はコンピュータ（１０）内に設置されて、通信ケーブル（３２）を通じてテレビインターフェイスモジュール（４１）と接続することを特徴とする請求項１２記載のテレビによるインターネット接続及びインタラクティブエンターテイメント通信システム。
【請求項１４】
システムには外部ＵＳＢデバイス（６０）をも含み、前記外部ＵＳＢデバイス（６０）はＴＶ側ＵＳＢインターフェイス（４１９１）と接続することを特徴とする請求項９記載のテレビによるインターネット接続及びインタラクティブエンターテイメント通信システム。
【請求項１５】
コンピュータＵＳＢインターフェイス（１２）とテレビインターフェイスモジュール（４１）内のＵＳＢハブ回路（４１４）、ＵＳＢデバイス（６０１）及び外部ＵＳＢデバイス（６０）は一つのＵＳＢシステムを構成し、コンピュータのグラフィックカードインターフェイスＡ（１１）から出力されるビデオ信号はコンピュータインターフェイスモジュール（３１）、テレビインターフェイスモジュール（４１）を経由して最終的にテレビへと伝送されることを特徴とする請求項９〜１４のいずれか記載のテレビによるインターネット接続及びインタラクティブエンターテイメント通信システム。
【請求項１６】
ＵＳＢＡＶ採集圧縮デバイスがテレビのＡＶ信号源から出されたＡＶ信号に対してデジタル化採集圧縮をした後、テレビインターフェイスモジュール（４１）、コンピュータインターフェイスモジュール（３１）を通じてコンピュータへ送ることを特徴とする請求項１５記載のテレビによるインターネット接続及びインタラクティブエンターテイメント通信システム。
【請求項１７】
シングルワークステーションモードを備え、コンピュータ（１０）のユーザーとテレビ（２０）のユーザーは各自のキーボード、マウス又はリモコン設備を通じて、コンピュータ（１０）のオペレーションシステムにおけるアプリケーションソフトを共同で操作し、同一の表示内容及び音声を有することを特徴とする請求項９〜１６のいずれか記載のテレビによるインターネット接続及びインタラクティブエンターテイメント通信システムの操作方法。
【請求項１８】
デュアルワークステーションモードを備え、コンピュータ（１０）のユーザーとテレビ（２０）のユーザーが各自のキーボード、マウス又はリモコン設備を通じて、コンピュータ（１０）のオペレーションシステムにおけるアプリケーションソフトを独立して操作し、各自独立した表示内容及び音声を有することを特徴とする請求項９〜１６のいずれか記載のテレビによるインターネット接続及びインタラクティブエンターテイメント通信システムの操作方法。
【発明の詳細な説明】
【技術分野】
【０００１】
本発明はテレビによるインターネット接続技術、特にテレビによるインターネット接続及びインタラクティブエンターテイメント通信のシステムと方法に関し、また、テレビによるインターネット接続及びインタラクティブエンターテイメントの実現に用いるコンピュータＰＣボックスユニット及びＴＶボックスユニットに関する。
【背景技術】
【０００２】
インターネットアプリケーションの高度化とブロードバンドネットワークの普及に伴い、インターネットに含まれる社会各方面の各種マルチメディアコンテンツが日増しに豊かになってきた。インターネットを通じたマルチメディア通信及びコミニュケーションツールが主流になりつつある。インターネットは当初の通信と情報取得のツールから人々の仕事、学習、コミュニケーション、娯楽など全方位プラットフォームへと変化している。仕事や生活におけるインターネットへの依存度は日増しに増大しており、世界中のネット接続人口とりわけブロードバンドによる接続人口の増加ペースは未だに速い。家庭はオフィスを除いたインターネットアクセス地点として主流であるため、近年来は家庭でのブロードバンドユーザーが最も急速に増えている。
【０００３】
現在、人々は自宅の書斎からパソコンを通じてインターネット上のマルチメディアコンテンツと身近に接しており、映画などの各種マルチメディアファイルダウンロード、デジタルカメラの写真やデジタルビデオ映像の保存及び閲覧などは既に比較的よくある行動となっている。問題は、書斎のパソコン画面上でこうしたマルチメディアコンテンツを鑑賞する際、特に長時間に及ぶ場合、気楽に楽しむことができない点である。
【０００４】
また、テレビを通じリビングや寝室で比較的遠距離から気軽な方法でインターネット上または家庭のパソコンにあるマルチメディアコンテンツを鑑賞するには現在のところ好適な手段が不足している。現在で最も多く行われているのは、娯楽用パソコンを買い増してテレビによるインターネット専用にする方法である。実際この娯楽用パソコンの機能は既存の家庭用パソコンと違いがないもので、多くの家庭ではこうした出費の重複を受け入れがたい。また、これらのパソコン二台の間で情報やインターネット接続を共有するには、セットアップや操作方法が実に複雑である。他にも、各種アプリケーションソフトの頻繁なアップグレードやインターネット上に広く存在するウイルスなどにより、パソコンのメンテナンスにかかる作業量も少なくはない。パソコンを一台買い増すことは、すなわち一台分のメンテナンス工数が増えることなのである。
【０００５】
もう一つの方法は、ＩＰＴＶキャリアにＩＰＴＶサービスを申し込み、専用のＩＰセットトップボックスユニットによりテレビによるインターネット利用を実現することである。この方法にも問題は少なくない。まず、ＩＰＴＶサービスは現在のところ広く展開されておらず、短期間のうちに普及することもできない。同時に、ＩＰＴＶサービスが提供できるコンテンツは完全にＩＰＴＶキャリアの制限を受ける。そのうえＩＰセットトップボックスユニットは一般に家庭のパソコンにあるコンテンツを共有できず、共有するには複雑な操作を伴う。当然、ＩＰＴＶサービスの費用も問題の一つである。ブロードバンドアクセス費用の他にＩＰＴＶサービスの費用もかかると、多くの家庭にとって経済的負担が多すぎる。
【発明の概要】
【発明が解決しようとする課題】
【０００６】
テレビを通じて気軽な方法でインターネット上または家庭のパソコンにあるマルチメディアコンテンツを鑑賞する際、追加コスト及び操作の複雑さやメンテナンス工数をいかに抑えるかという問題は未解決のままである。
【０００７】
尚、テレビ番組の視聴にはケーブルテレビ網ないしバーチャルテレビ網の利用が現在の主な手段となっている。しかし、今のところユーザーは経済的で実行可能な手段によるテレビ番組の録画やタイムシフトができていない。ケーブルテレビ各局も幅広い視聴者とリアルタイムにインタラクティブ通信をする有効な手段を持っていない。
【課題を解決するための手段】
【０００８】
本発明の目的は、上述した技術欠陥を解決し、既存の方法にある不足点を避け、簡便にテレビによるインターネット接続及びインタラクティブエンターテイメントを実現できるシステムと方法を提供することであり、また、テレビによるインターネット接続及びインタラクティブエンターテイメントを実現するコンピュータＰＣボックスユニット及びテレビＴＶボックスユニットについても提供することにある。本発明では家庭用コンピュータへの投資を十分に利用し、家庭ユーザーに向け廉価かつ便利な機能を持つソリューションを提供する。テレビ操作の複雑さを簡略化し、テレビユーザーがとても気軽にインターネット上やパソコン上のマルチメディアコンテンツを鑑賞できるようにする。同時、本発明はケーブルテレビ番組の録画やタイムシフトの方法及びケーブルテレビ局が幅広い視聴者とリアルタイムにインタラクティブ通信をする有効な手段についても良好に解決している。
【０００９】
上記の技術的問題を解決するため、本発明では以下の技術的手段を採用している。
【００１０】
本発明ではコンピュータＰＣボックスユニットについて公開する。ボックスユニットにはＰＣボックスユニット本体を含み、本体内にはコンピュータインターフェイスモジュールを搭載する。前記コンピュータインターフェイスモジュールは以下を集成したものである。ＰＣビデオ信号送信駆動回路、通信ケーブルのＰＣ側インターフェイス、ＰＣ側グラフィックカードインターフェイス、ＰＣ側ＵＳＢ駆動送受信回路及びＰＣ側ＵＳＢインターフェイス。ＰＣビデオ信号送信駆動回路は一端をＰＣ側グラフィックカードインターフェイスと接続し、他端を通信ケーブルのＰＣ側インターフェイスと接続する。ＰＣ側ＵＳＢ駆動送受信回路は一端をＰＣ側ＵＳＢインターフェイスと接続し、他端を通信ケーブルのＰＣ側インターフェイスと接続する。
【００１１】
前記コンピュータインターフェイスモジュールにはＶＧＡ信号多重回路及びＶＧＡ信号出力インターフェイスも集成しており、ＶＧＡ信号出力インターフェイスはＶＧＡ信号多重回路を通じてＰＣ側グラフィックカードインターフェイスと接続する。
【００１２】
コンピュータインターフェイスモジュールにはまたＰＣビデオ信号変換回路も備え、その一端はＰＣ側グラフィックカードインターフェイスと接続し、他端はＰＣビデオ信号送信駆動回路と接続する。
【００１３】
優先案の一つとして、コンピュータインターフェイスモジュール内にはＵＳＢグラフィックカード回路及びＵＳＢグラフィックカードインターフェイスも備えている。ＵＳＢグラフィックカード回路の一端はＰＣビデオ信号変換回路と接続し、他端はＵＳＢグラフィックカードインターフェイスと接続する。
【００１４】
ＵＳＢグラフィックカード回路にはＵＳＢからＰＣＩへのブリッジ回路、グラフィックカード回路を備える。ブリッジ回路は一端をＵＳＢグラフィックカードインターフェイスと接続し、他端はＰＣＩバスを通じてグラフィックカード回路と接続する。
【００１５】
本発明ではテレビＴＶボックスユニットについて公開する。ボックスユニットにはＴＶボックスユニット本体を含み、本体内にはテレビインターフェイスモジュールを搭載する。前記テレビインターフェイスモジュールは以下を集成したものである。ＴＶビデオ信号受信回路、ＴＶ側ＵＳＢ駆動送受信回路、ＵＳＢハブ回路、通信ケーブルのＴＶ側インターフェイス及びＴＶ側ビデオインターフェイス。ＴＶビデオ信号受信回路は一端をＴＶ側ビデオインターフェイスと接続し、他端を通信ケーブルのＴＶ側インターフェイスと接続する。ＴＶ側ＵＳＢ駆動送受信回路は一端をシステム内のＵＳＢハブ回路と接続し、他端を通信ケーブルのＴＶ側インターフェイスと接続する。
【００１６】
テレビインターフェイスモジュールにはまたＴＶビデオ信号変換回路も備え、その一端はＴＶ側ビデオインターフェイスと接続し、他端はＴＶビデオ信号受信回路と接続する。
【００１７】
優先方式の一つとして、テレビインターフェイスモジュールには以下も備える。ＵＳＢデバイス、ＴＶ側インターフェイス。前記ＵＳＢデバイスはＵＳＢハブ回路と接続し、ＴＶ側ＵＳＢインターフェイスはＵＳＢハブ回路と接続する。
【００１８】
前記ＵＳＢデバイスはＵＳＢサウンドカードであって、ＵＳＢハブ回路と接続する。その中、ＵＳＢサウンドカードにはＴＶ側オーディオインターフェイス及びＴＶ側マイクインターフェイスを備える。
ＵＳＢデバイスはＵＳＢ−ＰＳ２インターフェイスアダプタ、ＵＳＢ赤外線受信機、ＵＳＢレーザー受信機及びＵＳＢＡＶエンコーディングデバイスのうちの一つまたは組合せを指す。
【００１９】
本発明ではテレビによるインターネット接続及びインタラクティブエンターテイメント通信を実現する、コンピュータ、テレビ及び通信ケーブルを含んだシステムについても公開する。システムには上記のコンピュータＰＣボックスユニット及びテレビＴＶボックスユニットも含まれ、そのうちコンピュータのグラフィックカードインターフェイスＡはコンピュータＰＣボックスユニットのＰＣ側グラフィックカードインターフェイスと接続する。コンピュータのＵＳＢインターフェイスＡはＰＣ側ＵＳＢインターフェイスと接続する。ＰＣ側ＵＳＢ駆動送受信回路は、一方でコンピュータからＵＳＢデバイスへ送信されるＵＳＢプライマリ信号を受信して、駆動後に通信ケーブルのＰＣ側インターフェイスを経由して出力し、他方ではＰＣ側インターフェイスを経由して通信ケーブルからのＵＳＢセカンダリ信号を受信してコンピュータ内へ伝送する。コンピュータＰＣボックスユニットのＰＣ側インターフェイスは通信ケーブルを通じてテレビＴＶボックスユニットのＴＶ側インターフェイスと接続し、コンピュータモジュールとテレビモジュールとの間で信号及びデータの伝送を実現する。テレビＴＶボックスユニットのＴＶ側ビデオインターフェイスはテレビのビデオ入力インターフェイスＢと接続する。ＴＶ側オーディオインターフェイスはテレビのオーディオインターフェイスＢと接続する。ＴＶ側ＵＳＢ駆動送受信回路は一方でＵＳＢハブ回路からＵＳＢデバイスへ転送されるＵＳＢセカンダリ信号を受信して、駆動後に通信ケーブルのＴＶ側インターフェイスを経由して出力し、他方では通信ケーブルのインターフェイス経由で通信ケーブルからのＵＳＢプライマリ信号を受信してコンピュータ内へ伝送する。
【００２０】
その中、コンピュータＰＣボックスユニットのＶＧＡ出力インターフェイスはディスプレイと接続する。
【００２１】
通信ケーブルは通常ＣＡＴ５カテゴリ５、ＣＡＴ５Ｅカテゴリ５ｅまたは４ペアツイスト線による接続ケーブルとする。ＵＳＢインターフェイスには標準ＵＳＢ１．０、ＵＳＢ１．１及びＵＳＢ２．０インターフェイスを含む。
優先案の一つとして、セカンダリグラフィックカードを持つコンピュータ場合、グラフィックカードをＰＣ側グラフィックカードインターフェイスと接続し、セカンダリグラフィックカードをディスプレイと接続するか、グラフィックカードをディスプレイと接続してグラフィックカードをＰＣ側グラフィックカードインターフェイスと接続する。
【００２２】
上記優先案の改良案として、セカンダリグラフィックカードとコンピュータインターフェイスモジュールをＰＣＩバスに集積する。前記ＰＣＩバスはコンピュータ内に設置し、通信ケーブルを通じてテレビのインターフェイスモジュールと接続する。
【００２３】
その中、グラフィックカード及びセカンダリグラフィックカードはコンピュータのマザーボード上に集積されたものでも、ＰＣＩ、ＡＧＰないしＰＣＩ−Ｅｘｐｒｅｓｓスロット上の独立したグラフィックカードでもよい。
【００２４】
優先案の一つとして、当該システムに外部ＵＳＢデバイスを含める。前記ＵＳＢデバイスはＴＶ側ＵＳＢインターフェイスと接続する。このＵＳＢデバイスはＵＳＢサウンドカード、ＵＳＢ−ＰＳ２インターフェイスアダプタ、ＵＳＢ赤外線受信機、ＵＳＢレーザー受信機及びＵＳＢＡＶエンコーディングデバイスのうちの一つまたは組合せを指す。
ＴＶ側マイクインターフェイスはマイクの接続に用いる。
【００２５】
ＵＳＢサウンドカードのオーディオ出力インターフェイスにはテレビのステレオインターフェイス、ホームシアターシステムの５．１ｃｈサラウンドオーディオインターフェイスを含む。
【００２６】
本発明でのインターネット接続及びインタラクティブエンターテイメント通信システムにおいて更に進んだ特徴は、コンピュータのＵＳＢインターフェイスとテレビのインターフェイスモジュール内のＵＳＢハブ回路、ＵＳＢデバイス及び外部ＵＳＢデバイスとが一つのＵＳＢシステムを構成していることである。コンピュータのグラフィックカードインターフェイスＡ（１１）から出力されるビデオ信号はコンピュータのインターフェイスモジュール、テレビのインターフェイスモジュールを経由して最終的にテレビへと伝送される。
【００２７】
比較的良好なものは、その中、ＵＳＢＡＶエンコーディングデバイスがテレビのＡＶ信号源から送信されるテレビのＡＶ信号をデジタル化してエンコード後にテレビのインターフェイスモジュール、コンピュータのインターフェイスモジュールを経由して、最終的にコンピュータへ伝送することである。前記テレビのＡＶ信号源にはデジタルテレビのセットトップボックスユニット、バーチャルテレビのチューナーを含む。ＵＳＢ赤外線受信機はリモコンから送信される赤外線信号の受信に用いる。
【００２８】
コンピュータのインターフェイスモジュール内のＵＳＢグラフィックカード回路は、ＰＣ側グラフィックカードインターフェイスを通じてコンピュータと接続し、コンピュータの表示データを受信してビデオ信号に変換してＰＣビデオ信号変換回路へ送信する。
【００２９】
本発明では、テレビによるインターネット接続及びインタラクティブエンターテイメント通信システムの操作方法も公開する。その特徴として、操作モードにシングルワークステーションモードとデュアルワークステーションモードを備えている。
【００３０】
シングルワークステーションモードの具体的手順は、コンピュータのユーザーとテレビのユーザーが各自のキーボード、マウスないしリモコンを通じて、コンピュータのオペレーションシステム下にあるアプリケーションソフトを共同で操作する。表示内容及び音声は同一のものとなる。
【００３１】
デュアルワークステーションモードの具体的手順は、コンピュータのユーザーとテレビのユーザーが各自のキーボード、マウスないしリモコンを通じて、コンピュータのオペレーションシステム下にあるアプリケーションソフトを独立して操作する。表示内容及び音声は独立したものとなる。
【００３２】
この他、ディスプレイが複数台の場合、その操作モードもマルチワークステーションモードとすることができる。各ディスプレイないしテレビのユーザーが各自のキーボード、マウスないしリモコンを通じて、コンピュータのオペレーションシステム下にあるアプリケーションソフトを独立して操作し、表示内容及び音声は独立したものとなる。
【発明の効果】
【００３３】
既存の技術と比較すると、本発明では家庭用コンピュータへの投資を十分に利用し、家庭ユーザーに向け廉価かつ強力な機能のソリューションを提供する。テレビ操作の複雑さを簡略化し、テレビユーザーがとても気軽にインターネット上やパソコン上のマルチメディアコンテンツを鑑賞できるようにする。本発明は同時に、ケーブルテレビ番組の録画やタイムシフトの方法及びケーブルテレビ局が幅広い視聴者とリアルタイムにインタラクティブ通信をする有効な手段といった一連の技術的問題についても比較的良好に解決している。
【図面の簡単な説明】
【００３４】
【図１】は本発明におけるシステムのある実例についての構造及び接続方式の説明図。
【図２】は本発明のシングルワークステーションモードの説明図。
【図３】は本発明のインターネットコンテンツとケーブルデジタルテレビとの総合アプリケーションの説明図。
【図４】は本発明のテレビ番組インタラクティブアプリケーションの説明図。
【図５】は本発明のデュアルワークステーションモードの説明図。
【図６】は本発明のデュアルワークステーション改良モードの説明図。
【図７】はＰＣＩバス内部フレームの説明図。
【図８】は本発明におけるコンピュータインターフェイスのある実例についての回路原理図。
【図９】は本発明におけるコンピュータインターフェイスのＰＣ側ＵＳＢ駆動送受信回路におけるＵＳＢバス処理部分の回路原理図。
【図１０】は本発明におけるテレビインターフェイスのＴＶ側ＵＳＢ駆動送受信回路におけるＵＳＢバス処理部分の回路原理図。
【図１１】は本発明におけるテレビインターフェイスのある実例についての回路原理図。
【図１２】は本発明においてＵＳＢの通信距離を延長する原理フレームの説明図。
【図１３】は本発明におけるコンピュータインターフェイスモジュール内蔵ＵＳＢ２．０グラフィックカード回路の説明図。
【図１４】は本発明におけるＵＳＢ２．０グラフィックカード回路の説明図。
【図１５】は本発明におけるテレビインターフェイスがケーブルデジタルテレビ信号をコンピュータへ送信する一例の説明図。
【図１６】は本発明におけるテレビＴＶボックスユニットのモジュール例の構造図。
【図１７】は本発明におけるテレビＴＶボックスユニットのモジュールの別の例の構造図。
【発明を実施するための形態】
【００３５】
以下、図面及び各実例と併せて本発明についてのより詳細に説明する。
【００３６】
図１、図１６及び図１７に示すように、本システムはコンピュータ１０、コンピュータＰＣボックスユニット３０、通信ケーブル３２、テレビＴＶボックスユニット４０、テレビ２０及び外部ＵＳＢデバイスを含んでいる。その中、コンピュータＰＣボックスユニット３０にはコンピュータインターフェイスモジュール３１が、テレビＴＶボックスユニット４０にはテレビインターフェイスモジュール４１が内蔵されている。
【００３７】
コンピュータインターフェイスモジュール３１には、ＰＣビデオ信号変換回路３１１、ＰＣビデオ信号送信駆動回路３１２、通信ケーブルのＰＣ側インターフェイス３１６、ＰＣ側グラフィックカードインターフェイス３１７、ＶＧＡ信号多重回路３１４、ＶＧＡ出力インターフェイス３１８、ＰＣ側ＵＳＢ駆動送受信回路３１３及びＰＣ側ＵＳＢインターフェイス３１５を備える。ＰＣビデオ信号変換回路３１１の一端はＰＣ側グラフィックカードインターフェイス３１７を通じてコンピュータのグラフィックカードインターフェイスＡ１１へ接続し、他端はＰＣビデオ信号送信駆動回路３１２を通じて通信ケーブルのＰＣ側インターフェイス３１６と接続する。ＶＧＡ出力インターフェイス３１８の一端はディスプレイと接続でき、他端はＶＧＡ信号多重回路３１４を通じてＰＣ側グラフィックカードインターフェイス３１７と接続する。ＰＣ側ＵＳＢ駆動送受信回路３１３の一端はＰＣ側ＵＳＢインターフェイス３１５を通じてコンピュータのＵＳＢインターフェイス１２と接続し、他端は通信ケーブルのＰＣ側インターフェイス３１６と接続する。
【００３８】
テレビにはビデオ入力インターフェイスＢ２１及びオーディオインターフェイスＢ２２が備えられ、オーディオインターフェイスＢ２２は左チャネルオーディオインターフェイス２２１及び右チャネルオーディオインターフェイス２２２に分かれる。
【００３９】
テレビインターフェイスモジュール４１は、ＴＶビデオ信号変換回路４１１、ＴＶビデオ信号受信回路４１２、ＴＶ側ＵＳＢ駆動送受信回路４１３、ＵＳＢハブ回路４１４、ＴＶ側ＵＳＢインターフェイス４１９１、通信ケーブルのＴＶ側インターフェイス４１６、ＴＶ側ビデオインターフェイス４１７、ＵＳＢサウンドカード４１５、ＴＶ側マイクインターフェイス４１９２及びＴＶ側オーディオインターフェイス４１８を備える。ＴＶビデオ信号変換回路４１１の一端はＴＶ側ビデオインターフェイス４１７を通じてテレビのビデオ入力インターフェイスＢ２１へ接続し、他端はＴＶビデオ信号受信回路４１２を通じて通信ケーブルのＴＶ側インターフェイス４１６と接続する。ＴＶ側ＵＳＢ駆動送受信回路４１３一端はシステム内のＵＳＢハブ回路４１４と接続し、他端は通信ケーブルのＴＶ側インターフェイス４１６と接続する。通信ケーブルのＴＶ側インターフェイス４１６と通信ケーブルのＰＣ側インターフェイス３１６は通信ケーブルを通じて接続する。ＵＳＢハブ回路４１４、ＵＳＢサウンドカード４１５、ＴＶ側オーディオインターフェイス４１８は順に接続する。ＴＶ側オーディオインターフェイス４１８はＴＶ側左チャネルオーディオインターフェイス４１８１及びＴＶ側右チャネルオーディオインターフェイス４１３２に分かれ、それぞれテレビの左チャネルオーディオインターフェイス２２１及び右チャネルオー［２５］ディオインターフェイス２２２と対応させ接続する。外部ＵＳＢデバイス６０はリモートコントロールデバイス６１の信号を受信し、ＴＶ側ＵＳＢインターフェイス４１９１を通じてＵＳＢハブ回路４１４と接続する。マイク５０はＴＶ側マイクインターフェイス４１９２を通じてＵＳＢサウンドカード４１５と接続する。
【００４０】
その中、図１７に示すとおり、テレビインターフェイスモジュール４１にはＵＳＢデバイス６０１も集積されており、当該ＵＳＢデバイス６０１はＵＳＢハブ回路４１４と接続する。
【００４１】
ＰＣ側ＵＳＢ駆動送受信回路３１３は、一方でコンピュータからＵＳＢデバイスへ送信されるＵＳＢプライマリ信号を受信して、駆動後に通信ケーブルのＰＣ側インターフェイスを経由して出力し、他方ではＰＣ側インターフェイスを経由して通信ケーブルからのＵＳＢセカンダリ信号を受信してコンピュータ内へ伝送する。
【００４２】
ＴＶ側ＵＳＢ駆動送受信回路４１３は、一方でＵＳＢハブ回路からＵＳＢデバイスへ転送されるＵＳＢセカンダリ信号を受信して、駆動後に通信ケーブルを経由してＴＶ側インターフェイスから出力し、他方では通信ケーブルのインターフェイス経由で通信ケーブルからのＵＳＢプライマリ信号を受信してコンピュータ内へ伝送する。
【００４３】
グラフィックカードインターフェイスＡ１１、ビデオ入力インターフェイスＢ２１及びＶ側ビデオインターフェイス４１７またはＰＣ側グラフィックカードインターフェイス３１７は、ＶＧＡ、Ｓ−Ｖｉｄｅｏ、コンポジットビデオ（ＣｏｍｐｏｓｉｔｅＶｉｄｅｏ）及びＤＶＩインターフェイスのいずれかである。通信ケーブル３は通常ＣＡＴ５カテゴリ５、ＣＡＴ５Ｅカテゴリ５ｅまたは４ペアツイスト線による接続ケーブルとする。
【００４４】
システムにおいて、外部ＵＳＢデバイス６０は、ＵＳＢ−ＰＳ２インターフェイスアダプタ、ＵＳＢ赤外線受信機、ＵＳＢレーザー受信機及びＵＳＢＡＶエンコーディングデバイスのうちの一つまたは組合せを指す。ＵＳＢＡＶエンコーディングデバイスはＡＶ信号源からのＡＶ信号をデジタル化してエンコード後にＵＳＢインターフェイス１２を通じてコンピュータへ送るために用いる。その信号源にはデジタルテレビのセットトップボックスユニット、バーチャルテレビのチューナーを含む。ＵＳＢ赤外線受信機はリモコンから送信される赤外線信号の受信に用いる。ＵＳＢレーザー受信機はレーザー信号の受信に用いる。ＵＳＢインターフェイスには標準ＵＳＢ１．０、ＵＳＢ１．１及びＵＳＢ２．０インターフェイスを含む。
【００４５】
ＵＳＢデバイスのうちＵＳＢ−ＰＳ２インターフェイスアダプタ、ＵＳＢ赤外線受信機、ＵＳＢレーザー受信機及びＵＳＢＡＶエンコーディングデバイスは、テレビインターフェイスモジュールの内蔵デバイスでもシステムに外付けするデバイスでもよい。
【００４６】
以下、本発明の図１の動作原理について詳述する。
図１において、コンピュータのグラフィックカード１３が出力するＶＧＡ信号は、コンピュータインターフェイスモジュール３１のＰＣビデオ信号変換回路３１１でＳ−Ｖｉｄｅｏに変換されたのち、ＰＣビデオ信号送信駆動回路３１２を経由して通信ケーブル３２に送られる。コンピュータインターフェイスモジュール３１のＰＣ側ＵＳＢ駆動送受信回路３１３は、コンピュータのＵＳＢインターフェイス１２から受信したＵＳＢプライマリ信号に駆動をかけて通信ケーブル３２に送り、通信ケーブル上のＵＳＢセカンダリ信号を受信してデコード後コンピュータへ送る働きを持つ。
【００４７】
図１では、コンピュータインターフェイスモジュール３１にＶＧＡ信号多重回路３１４を搭載しており、メインＰＣからのＶＧＡ信号をＶＧＡ出力インターフェイス３１８へ転送するために用いている。コンピュータがシングルワークステーションモードで動作しているとき、コンピュータインターフェイスモジュールの当該ＶＧＡ出力インターフェイス３１８はコンピュータのディスプレイ１８の接続に使用できる。
【００４８】
図１に示すように、ＴＶビデオ信号受信回路４１２が通信ケーブル３２からコンピュータ１０のビデオ信号を受信してＳ−Ｖｉｄｅｏ信号に復元し、ＴＶビデオ信号変換回路４１１がコンポジットビデオ信号に変換してテレビ２０へ送信すると、最終的にコンピュータ１０の出力したビデオ信号がテレビ２０の画面上で表示されることが分かる。
【００４９】
図１に示すように、テレビインターフェイスモジュール４１は、ＵＳＢサウンドカード４１５を内蔵している。コンピュータ１０の出力するステレオ音声信号はコンピュータのＵＳＢインターフェイス１２、コンピュータインターフェイスモジュール３１、通信ケーブル３２、テレビインターフェイスモジュール４１内部のＴＶ側ＵＳＢ駆動送受信回路４１３、ＵＳＢハブ回路４１４、ＵＳＢサウンドカード４１５を経由して最終的にテレビ２０へ出力される。外部ＵＳＢデバイス６０は、受信したリモートコントロールデバイス信号及びマイク５０からの音声信号を、反対方向に伝送し、最終的にコンピュータ１０へ伝送する。
【００５０】
シングルワークステーションモードについて、図２に示しているように、コンピュータのユーザーとテレビのユーザーが各自のキーボード、マウスないしリモコンを通じて、コンピュータのオペレーションシステム下にあるアプリケーションソフトを共同で操作する。コンピュータ１０の内蔵サウンドカード１７はスピーカー１７−１及びマイク１７−２に、ディスプレイ１８はコンピュータインターフェイスモジュール３１と接続されている。テレビユーザーのワイヤレスキーボード６３、ワイヤレスマウス６２ないしリモートコントロールデバイス６１は無線受信デバイスを通してＴＶ側ＵＳＢインターフェイス４１９１と接続され関連操作を行う。デジタルテレビのセットトップボックスユニット４７はＵＳＢＡＶエンコーディングデバイス４５または赤外線送信機４６を通じてテレビインターフェイスモジュール４１と接続される。テレビインターフェイスモジュール４１はＴＶ側オーディオインターフェイス４１８、ＴＶ側ビデオインターフェイス４１７を通じてテレビ２０へ接続される。
【００５１】
テレビインターフェイスモジュール４１はデジタルテレビのセットトップボックスユニットからのＡＶ信号入力を追加接続する。これによりコンピュータユーザーはコンピュータ上でケーブルデジタルテレビの番組の視聴や録画ができ、テレビユーザー５はテレビ番組のタイムシフト、インタラクティブ機能を利用できるほか、コンピュータ１０のハードディスクに録画しておいた番組を視聴することもできる。
【００５２】
図３に示しているように、コンピュータ１０、テレビ２０の間はコンピュータインターフェイスモジュール３１、通信ケーブル３２及びテレビインターフェイスモジュール４１を通じて接続されており、リモートコントロールデバイス６１、ワイヤレスマウス６２及びワイヤレスキーボード６３はテレビインターフェイスモジュール４１を通じてコンピュータ１０を遠隔操作でき、コンピュータ１０はブロードバンドインターフェイスを通じてインターネットにアクセスできる。
【００５３】
インターネット上にある全てのマルチメディアコンテンツは、初めにコンピュータ１０が処理を行い、コンピュータ１０が処理した結果をビデオ及びオーディオの形でテレビ２０へ送信する。テレビユーザー５はテレビインターフェイスモジュール４１と接続されたＵＳＢデバイスを通じてマルチメディアコンテンツに対するインタラクティブな制御を行う。テレビインターフェイスモジュール４１上のデジタルテレビのセットトップボックスユニットからのＡＶ信号入力は、コンピュータユーザーがコンピュータ上で番組の視聴や録画をすることができ、テレビユーザー５はテレビ番組のタイムシフト、インタラクティブ機能を利用できるほか、コンピュータ１０のハードディスクに録画しておいた番組を視聴することもできる。
【００５４】
例えば、湖南衛星放送がテレビ番組「チャングムの誓い」を放送中だとする。テレビの視聴者は２３分間その場を離れていたが、タイムシフト機能を通じて２３分前に放映された映像を見ることができる。
【００５５】
テレビ番組のタイムシフトを実現する方式及び操作方法は下記の通りである。
【００５６】
（１）番組「チャングムの誓い」はデジタルテレビ網を通じて家庭内のデジタルテレビのセットトップボックスユニットへ伝送され、テレビインターフェイスモジュール４１に入る。その後、通信ケーブル３２及びコンピュータインターフェイスモジュール３１を通じてコンピュータ１０へ送られる。
【００５７】
（２）テレビユーザー５が一時的にテレビの前を離れる必要があるとき、コンピュータのリモートコントロールデバイス６１にある「テレビ一時停止」キーを押す。
【００５８】
（３）テレビインターフェイスモジュール４１と接続されたＵＳＢ赤外線受信機が、受信した「テレビ一時停止」信号をコンピュータ１０へ転送する。
【００５９】
（４）コンピュータ１０は一時停止コマンドの受信後、テレビ番組に対してキャッシュを行う。テレビ画面は暫定のものとなる。
【００６０】
（５）２３分後にテレビユーザー５が戻った後、コンピュータのリモートコントロールデバイス６１にある「テレビ再生」キーを押す。
【００６１】
（６）コンピュータ１０はテレビ再生コマンドの受信後、キャッシュしていた２３分前のテレビ番組の再生を開始し、同時にケーブルテレビ局が放送し続けている番組のキャッシュを続ける。
【００６２】
テレビ番組インタラクティブ操作の一例として、図４に示すように、例えば、「湖南衛星放送」がケーブルデジタルテレビのシステムを通じ「スーパーディーヴァ」オーディションの実況放送中で、「湖南衛星放送」がインターネット上に「インタラクティブサーバー」を設置していたとする。コンピュータ１０にはあらかじめ、「湖南衛星放送」のインタラクティブアプリケーションをインストールしておく。
【００６３】
テレビユーザー５が「スーパーディーヴァ」オーディションの実況を見ているとき、リモートコントロールデバイス６１上の「テレビインタラクティブ」キーを押すと、テレビの画面上に「スーパーディーヴァ」オーディションの「インタラクティブウインドウ」が表示され、「スーパーディーヴァ」オーディションの実況及びインタラクティブ投票画面が同時に表示される。
【００６４】
テレビ視聴者はリモコンを通じて投票が実施でき、インタラクティブウインドウを通じて投票の過程及びリアルタイムな投票結果を見ることができる。この例において想定している投票の過程は、下記のようなインタラクティブソフトウェアを組み合わせる必要がある。
【００６５】
１．視聴者が「２＃」に投票しようと考える。「スーパーディーヴァ」インタラクティブウインドウの指示により、テンキーの「２」を押す必要がある。
【００６６】
２．視聴者がテンキーの「２」を押すと、インタラクティブウインドウの赤い表示が緑に変わる。
【００６７】
３．視聴者が確認キーを押すと、「インタラクティブウインドウ」に数秒間メッセージが表示され、視聴者へ投票完了を通知する。
【００６８】
４．「インタラクティブウインドウ」が各候補者の最新得票数表示を続ける。
【００６９】
同時に、テレビ２０上のＵＳＢビデオカメラがテレビインターフェイスモジュール４１を通じて最終的にコンピュータ１０と接続される。「湖南衛星放送」はインタラクティブサーバーにおいて、インターネットを通じ番組視聴者のビデオインタビューが随時できる。視聴者の映像をテレビチャネルに表示し、全国の視聴者をより深く実況番組に入らせることができる。
【００７０】
図５に示すデュアルワークステーションモードでは、コンピュータのユーザーとテレビのユーザーが各自のキーボード、マウスないしリモコンを通じて、コンピュータのオペレーションシステム下にあるアプリケーションソフトを独立して操作する。表示内容及び音声は独立したものとなる。コンピュータ１０の内蔵サウンドカード１７はスピーカー１７−１及びマイク１７−２に、ディスプレイ１８はコンピュータ１０の内蔵グラフィックカード１３と接続されており、コンピュータ１０には一枚グラフィックカード１３−２が追加されている。グラフィックカード１３−２はコンピュータインターフェイスモジュール３１と接続する。シングルワークステーションモードと同様に、テレビ側では、テレビユーザーのワイヤレスキーボード６３、ワイヤレスマウス６２ないしリモートコントロールデバイス６１は無線受信デバイスを通してＴＶ側ＵＳＢインターフェイス４１９１と接続され関連操作を行う。デジタルテレビのセットトップボックスユニット４７は、ＵＳＢＡＶエンコーディングデバイス４５を通じてテレビインターフェイスモジュール４１と接続される。テレビインターフェイスモジュール４１はオーディオインターフェイス４１８、ビデオインターフェイスＢ４１７を通じてテレビ２０へ接続される。
【００７１】
コンピュータ１０にはグラフィックカード及びセカンダリグラフィックカードがインストールしてあり、コンピュータユーザーとテレビユーザーは同時に独立してコンピュータを使用でき、独立した表示及び音声の入出力で、相互に干渉しない。デュアルワークステーション方式での動作を実現するため、コンピュータ１０にはＷｉｎｄｏｗｓのマルチワークステーションソフトウェアもインストールしておく必要がある。図２と異なる点は、ディスプレイがコンピュータインターフェイスモジュール３１のビデオ出力インターフェイスと接続されないことである。
【００７２】
デュアルワークステーション改良モードについて図６に示す。コンピュータ１０のＰＣＩグラフィックカード、ＵＳＢインターフェイス回路及びコンピュータインターフェイスモジュールが一枚のＰＣＩバス１９に集積されている。図６に示されるように、コンピュータ１０にはグラフィックカード１３及びＰＣＩバス１９が内蔵されており、ディスプレイ１８はグラフィックカード１３と接続されている。コンピュータユーザーはディスプレイ１８及び［１０］コンピュータ側のキーボードないしマウスによってコンピュータ１０を操作する。コンピュータ１０からテレビ２０へのビデオ信号はＰＣＩバス１９から出力され、テレビユーザーはテレビインターフェイスモジュール４１側のワイヤレスキーボードまたはリモコンによりコンピュータ１０を遠隔操作し、コンピュータユーザーとテレビユーザーは互いに干渉しない。
【００７３】
図７に示しているように、ＰＣＩバス１９において、ＰＣＩグラフィックカード１９１が直接Ｓ−Ｖｉｄｅｏ出力を伴っており、信号はツイストペア線ＰＣビデオ信号送信駆動回路３１２へ出力され、通信ケーブルのＰＣ側インターフェイス３１６を経由して送り出される。通信ケーブルのＰＣ側インターフェイス３１６はＰＣ側ＵＳＢ駆動送受信回路３１３とも接続されており、ＰＣ側ＵＳＢ駆動送受信回路３１３はＰＣＩをＵＳＢへ変換する制御回路１９２につながって、ＰＣＩバスコントローラ１９３を経由してＰＣＩバス１９４にアクセスする。ＰＣＩバス１９において、集積されているコンピュータインターフェイスモジュールはビデオ形式の変換を行う必要がなく、外部電源も必要としない。この実施案の利点は全体費用の低減及びインストールの簡略化で、ユーザーに便利である。
【００７４】
図８に示されるように、コンピュータインターフェイスモジュール３１はビデオプロセッサメインチップＵ１によりＰＣビデオ信号変換回路３１１３１１が構成され、Ｑ１〜Ｑ３によりＶＧＡ信号多重回路３１４が構成されている。ＶＧＡ信号をＶＧＡ出力インターフェイス３１８へ出力し、ビデオ出力インターフェイス３１８はコンピュータのディスプレイ１８と接続する。
【００７５】
ビデオプロセッサメインチップＵ１は演算増幅器Ｕ３からなるＰＣビデオ信号送信駆動回路３１２にも接続され、最終的に演算増幅器Ｕ３がビデオ信号の差分を出力する。
【００７６】
図９のとおり、コンピュータインターフェイスモジュール３１において、ＵＳＢバス処理部はＵＳＢプロセッサメインチップＵ４から構成されており、ＵＳＢ駆動チップＵ６、Ｕ７はそれぞれ通信ケーブル３２の二組のツイストペア線と接続される。ＵＳＢプロセッサメインチップＵ４の第８ピン及び第２７ピンはＲ１４、Ｒ１６、Ｒ３４を通じてコンピュータ１０のモジュールインターフェイス１２と接続する（ＵＳＢプロセッサメインチップＵ４はＸｉｌｉｎｘ社ＳｐａｒｔａｎシリーズＦＰＧＡチップＸＣＳ４０ＸＬ型とする）。
【００７７】
図１０に示されるように、テレビインターフェイスモジュールにおいて、ＵＳＢバス処理部はＴＶ側ＵＳＢメインコントロールチップＵ８から構成されており、ＵＳＢ駆動チップＵ９、Ｕ１１はそれぞれ通信ケーブル３２の二組のツイストペア線と接続される。ＴＶ側ＵＳＢメインコントロールチップＵ８の第４０、４１ピンはＵＳＢ機能拡張ユニットと接続する（ＴＶ側ＵＳＢメインコントロールチップＵ８はＸｉｌｉｎｘ社ＳｐａｒｔａｎシリーズＦＰＧＡチップＸＣＳ４０ＸＬ型とする）。
【００７８】
図１１は、本発明におけるテレビインターフェイスモジュールの一例についての回路原理図である。ＵＳＢインターフェイス４１９１はＵＳＢインターフェイスチップＵ１４からなり、ＵＳＢハブ回路４１４と接続される。ＵＳＢハブ回路４１４はＵＳＢハブチップＵ１２からなり、ＵＳＢハブチップＵ１２はＴＶ側ＵＳＢ駆動送受信回路４１３と接続される。オーディオ処理チップＵ１３及びコンデンサＣ７、Ｃ８、Ｃ５、Ｃ３、水晶発振器Ｙ３、抵抗Ｒ８、Ｒ９、Ｒ１１によりＵＳＢサウンドカード４１５が構成され、テレビのステレオ音声入力及びマイク入力と接続される。
【００７９】
図１２〜１４は、本発明の実施過程において、異なるアプリケーションに対応するため、システムの各部分に異なる組合せ方式を採用することで実施コストの低減又はユーザー利便性の改善を図った図である。
【００８０】
図１２はそれぞれコンピュータインターフェイスモジュール３１及びテレビインターフェイスモジュール４１においてＵＳＢ通信距離を延長し、かつＵＳＢ１．１規格に適合するＰＣ側ＵＳＢ駆動送受信回路３１３及びＴＶ側ＵＳＢ駆動送受信回路４１３の実施例である。
【００８１】
コンピュータインターフェイスモジュール３１のＰＣ側ＵＳＢ駆動送受信回路において、コンピュータ１０のＵＳＢインターフェイス１２のＵＳＢ信号Ｄ＋及びＤ−はＵＳＢ１．１受信モジュールに受信された後、コントローラの制御下においてツイストペア線送信モジュールにより通信ケーブル３２のＣＡＴ５ケーブルのうち一対のツイストペア線上へ送られる。通信ケーブル３２のＣＡＴ５ケーブルのうち一対のツイストペア線からのＵＳＢ信号Ｄ＋及びＤ−はツイストペア線受信モジュールに受信された後、コントローラの制御下においてＵＳＢ１．１送信モジュールによりコンピュータ１０のＵＳＢインターフェイスへ転送される。図に示すように、コントローラがコンピュータ及びツイストペア線からの信号を受信すると、現在のＵＳＢ通信状態に基づき、ツイストペア線送信モジュール及びＵＳＢ１．１送信モジュールの信号送信時間を制御する。
【００８２】
テレビインターフェイスモジュール４１にあるＵＳＢ駆動送受信回路において、通信ケーブル３２のＣＡＴ５ケーブルのうち一対のツイストペア線からのＵＳＢ信号Ｄ＋及びＤ−はツイストペア線受信モジュールに受信された後、コントローラの制御下においてＵＳＢ１．１送信モジュールによりＵＳＢハブ回路４１４の上り（Ｕｐｓｔｒｅａｍ）ＵＳＢインターフェイスへ送られる。ＵＳＢハブ回路からのＵｐｓｔｒｅａｍＵＳＢインターフェイスＵＳＢ信号Ｄ＋及びＤ−はＵＳＢ１．１線受信モジュールに受信された後、コントローラの制御下においてツイストペア線送信モジュールによりＣＡＴ５ケーブルのうち一対のツイストペア線へ転送される。図示のように、コントローラがＵＳＢハブ回路からの信号を受信すると、現在のＵＳＢ通信状態に基づき、ＵＳＢ１．１線送信モジュール及びツイストペア線送信モジュールの信号送信時間を制御する。
【００８３】
図１２の二つの枠内にある回路の機能は、それぞれＸｉｌｉｎｘ社ＳｐａｒｔａｎシリーズＦＰＧＡチップＸＣＳ４０ＸＬ型をメインチップとして完成されている。
【００８４】
図１３は、本発明におけるコンピュータインターフェイスモジュール内蔵ＵＳＢ２．０グラフィックカード回路の説明図である。図示のように、コンピュータインターフェイスモジュール３１はコンピュータ１０のグラフィックカード１３と接続する必要がない。ＵＳＢグラフィックカード３１９は、コンピュータ１０のＵＳＢ２．０インターフェイスから入力された表示データを、コンポジットビデオ信号に変換してからコンポジットビデオツイストペア線送信駆動回路３１２へ出力する。このＵＳＢグラフィックカード回路３１９は、上の図におけるデュアルワークステーション方式のセカンダリグラフィックカードを代替することができる。
【００８５】
図１４は、ＵＳＢグラフィックカードのある実施例の説明図である。図示のように、ＵＳＢからＰＣＩへのブリッジチップＮＥＴ２２８２はＰＣＩバスインターフェイスを通じた形でＡＴＩ社のＰＣＩインターフェイスグラフィックカードチップＲＡＤＥＯＮ７５００と接続され、ＲＡＤＥＯＮ７５００は直接コンポジットビデオ信号を出力できる。
【００８６】
図１５は、本発明におけるテレビインターフェイスがケーブルデジタルテレビ信号をコンピュータへ送信する一例の説明図である。図の示すように、デジタルテレビのセットトップボックスユニット４７からのケーブルデジタルテレビのＡＶ信号は、ＵＳＢＡＶエンコーディングデバイス４５を通じてテレビインターフェイスモジュール４１と接続され、最終的にコンピュータ１０へ送られる。図１５において、テレビインターフェイスモジュール４１にはＵＳＢ赤外線送信機４６が一つ外付けされている。この送信機は必ずデジタルテレビのセットトップボックスユニット４７の赤外線受信機に向ける。そうすることで、コンピュータユーザーがテレビ番組を視聴する際にチューナーを遠隔操作できるようになる。
【００８７】
図１５に示されるように、テレビインターフェイスモジュール４１にはＵＳＢ５．１チャネルのサウンドカード４１５も外付けされている。このサウンドカードは光ファイバー４３を通じてホームシアターシステム４４と接続する。そうすることでテレビユーザー５がコンピュータ１０からの高品質ＡＶ信号を鑑賞できるようになる。図１５において、テレビインターフェイスモジュール４１のＵＳＢデバイス６０１はＵＳＢハブ回路と接続されており、多くのＵＳＢデバイスと接続する多くのＵＳＢインターフェイス４１９１−１、４１９１−２、４１９１−３を備えている。
【００８８】
実施例により、本発明が家庭ユーザーに向け廉価かつ強力な機能のソリューションを提供できることが証明された。テレビによるインターネット接続操作の複雑さを簡略化し、テレビユーザーがとても気軽にインターネット上やパソコン上のマルチメディアコンテンツを鑑賞できるようになる。本発明は同時に、ケーブルテレビ番組を録画し視聴時間をずらす方法及びケーブルテレビ局が幅広い視聴者とリアルタイムにインタラクティブ通信をする有効な手段といった一連の技術的問題についても比較的良好に解決している。
【００８９】
本発明では詳細な説明を行い実施形態も提示したが、当分野における一般技術者にとっては明らかに上述の説明に従った各種の代替案、修正及び改変が可能である。従って、それら全ての代替案、修正及び改変を特許請求の精神及び範囲に含めるべきである。
2010500795.tif 000003
2010500795.tif 000004
2010500795.tif 000005
2010500795.tif 000006
2010500795.tif 000007
2010500795.tif 000008
2010500795.tif 000009
2010500795.tif 000010
2010500795.tif 000011
2010500795.tif 000012
2010500795.tif 000013
2010500795.tif 000014
2010500795.tif 000015
2010500795.tif 000016
2010500795.tif 000017
2010500795.tif 000018
2010500795.tif 000019
【図１】
2010500795.tif 000020
【図２】
2010500795.tif 000021
【図３】
2010500795.tif 000022
【図４】
2010500795.tif 000023
【図５】
2010500795.tif 000024
【図６】
2010500795.tif 000025
【図７】
2010500795.tif 000026
【図８】
2010500795.tif 000027
【図９】
2010500795.tif 000028
【図１０】
2010500795.tif 000029
【図１１】
2010500795.tif 000030
【図１２】
2010500795.tif 000031
【図１３】
2010500795.tif 000032
【図１４】
2010500795.tif 000033
【図１５】
2010500795.tif 000034
【図１６】
2010500795.tif 000035
【図１７】
2010500795.tif 000036
【国際調査報告】
2010500795.tif 000037
2010500795.tif 000038
2010500795.tif 000039
2010500795.tif 000040
2010500795.tif 000041
2010500795.tif 000042